(57)【要約】【課題】持ち上げ対象を両手で持ち上げる場合と片手で持ち上げる場合とのいずれの場合においても被着者の持ち上げ動作を補助することができる持ち上げ補助具を提供する。【解決手段】持ち上げ補助具は、被着者の一方の手から該一方の肩の上方、首の後部、及び他方の肩の上方を経て、該他方の手にわたって配置された状態で用いられ、剛性のある部材を用いてなる支持部と、伸縮性のある部材を用いてなる第１伸縮部及び第２伸縮部とを備える。第１伸縮部は、被着者の一方の肩から該一方の手までの長さよりも短く形成されるとともに第１被係止部を有し、第２伸縮部は、被着者の他方の肩から該他方の手までの長さよりも短く形成されるとともに第２被係止部を有する。【選択図】図１
2020158266.tif 000002
【特許請求の範囲】
【請求項１】
被着者の一方の手から該一方の肩の上方、首の後部、及び他方の肩の上方を経て、該他方の手にわたって配置された状態で用いられる持ち上げ補助具であって、
剛性のある部材を用いてなり、前記被着者の前記一方の肩の上方から首の後部を経て前記他方の肩の上方にわたって配置される支持部と、
伸縮性のある部材を用いてなり、前記支持部の前記一方の肩側の端部から該一方の手にわたって配置される第１伸縮部と、
伸縮性のある部材を用いてなり、前記支持部の前記他方の肩側の端部から該他方の手にわたって配置される第２伸縮部とを備え、
前記第１伸縮部は、前記被着者の前記一方の肩から該一方の手までの長さよりも短く形成されるとともに、該一方の手の手首から指にわたる部位の少なくとも一部に該第１伸縮部の該手の方向の端部を着脱自在に係止するための第１被係止部を有し、
前記第２伸縮部は、前記被着者の前記他方の肩から該他方の手までの長さよりも短く形成されるとともに、該他方の手の手首から指にわたる部位の少なくとも一部に該第２伸縮部の該手の方向の端部を着脱自在に係止するための第２被係止部を有することを特徴とする持ち上げ補助具。
【請求項２】
請求項１に記載の持ち上げ補助具において、
前記第１被係止部は、前記被着者の前記一方の手の指が挿入可能であって該指を挿入した状態の該一方の手に該第１伸縮部の該手の方向の端部を着脱自在に係止するように構成され、
前記第２被係止部は、前記被着者の前記他方の手の指が挿入可能であって該指を挿入した状態の該他方の手に該第２伸縮部の該手の方向の端部を着脱自在に係止するように構成されていることを特徴とする持ち上げ補助具。
【請求項３】
請求項１又は２に記載の持ち上げ補助具において、
前記支持部は、首の後部に配置される部位に凹形状のくびれ部を有することを特徴とする持ち上げ補助具。
【請求項４】
請求項１〜３のいずれかに記載の持ち上げ補助具において、
前記被着者の上半身に装着され、少なくとも該被着者の背面の上縁の中央部を覆う上半身用衣類と、
前記支持部と前記上半身用衣類とを着脱自在に固定する固定部とを備え、
前記固定部は、前記上半身用衣類の前記被着者の背面の上縁の中央部を覆う部位の外面と前記支持部の該被着者の背面の上縁の中央部に配置される部位とに設けられた一対の係合部により構成されることを特徴とする持ち上げ補助具。
【請求項５】
請求項１〜４のいずれかに記載の持ち上げ補助具において、
前記第１伸縮部及び前記第２伸縮部は、１本の部材により一体的に形成されていることことを特徴とする持ち上げ補助具。
【請求項６】
請求項１〜５のいずれかに記載の持ち上げ補助具において、
前記第１被係止部は、前記第１伸縮部の長手方向に並ぶように複数設けられており、
前記第２被係止部は、前記第２伸縮部の長手方向に並ぶように複数設けられていることを特徴とする持ち上げ補助具。
【発明の詳細な説明】
【技術分野】
【０００１】
本発明は、持ち上げを補助する道具に関する。
【背景技術】
【０００２】
従来、手により物を持ち上げて運搬する際に用いる補助具が知られている。（特許文献１参照）。
【０００３】
特許文献１の補助具によれば、手から首にかけて装着された補助具を構成するゴムベルトの弾力性を利用して物の移動運搬を補助することができる。
【先行技術文献】
【特許文献】
【０００４】
【特許文献１】特開２０１３−２３４０６６号公報
【発明の概要】
【発明が解決しようとする課題】
【０００５】
物を手で持ち上げて運搬する際に、当該物を必ずしも両手で持つことができるとは限らない。そのため、持ち上げ対象の持ち上げを補助する道具は、当該対象を両手で持ち上げる場合と片手で持ち上げる場合とのいずれの場合においても用いることができることが求められる。
【０００６】
しかしながら、特許文献１の補助具においては、持ち上げ対象を片手で持ち上げることが考慮されていないので、例えば持ち上げ対象を片手で持ち上げたい場合、あるいは当該持ち上げ対象が片手でのみ持ち上げることができる場合には用いることができない。
【０００７】
本発明の目的は、かかる従来技術の課題に鑑み、持ち上げ対象を両手で持ち上げる場合と片手で持ち上げる場合とのいずれの場合においても被着者の持ち上げ動作を補助することができる持ち上げ補助具を提供することにある。
【課題を解決するための手段】
【０００８】
本発明の持ち上げ補助具は、
被着者の一方の手から該一方の肩の上方、首の後部、及び他方の肩の上方を経て、該他方の手にわたって配置された状態で用いられる持ち上げ補助具であって、
剛性のある部材を用いてなり、前記被着者の前記一方の肩の上方から首の後部を経て前記他方の肩の上方にわたって配置される支持部と、
伸縮性のある部材を用いてなり、前記支持部の前記一方の肩側の端部から該一方の手にわたって配置される第１伸縮部と、
伸縮性のある部材を用いてなり、前記支持部の前記他方の肩側の端部から該他方の手にわたって配置される第２伸縮部とを備え、
前記第１伸縮部は、前記被着者の前記一方の肩から該一方の手までの長さよりも短く形成されるとともに、該一方の手の手首から指にわたる部位の少なくとも一部に該第１伸縮部の該手の方向の端部を着脱自在に係止するための第１被係止部を有し、
前記第２伸縮部は、前記被着者の前記他方の肩から該他方の手までの長さよりも短く形成されるとともに、該他方の手の手首から指にわたる部位の少なくとも一部に該第２伸縮部の該手の方向の端部を着脱自在に係止するための第２被係止部を有することを特徴とする。
【０００９】
本発明の持ち上げ補助具によれば、支持部の一方の肩側の端部から該一方の手にわたって配置される、伸縮のある第１伸縮部は、第１被係止部により該非着者の手の手首から指にわたる部位の少なくとも一部に該第１伸縮部の該手の方向の端部を着脱自在に係止される。
【００１０】
また、支持部の他方の肩側の端部から該他方の手にわたって配置される、伸縮のある第２伸縮部は、第２被係止部により該非着者の手の手首から指にわたる部位の少なくとも一部に該第２伸縮部の該手の方向の端部を着脱自在に係止される。
【００１１】
そして、第１伸縮部及び第２伸縮部は、それぞれが配置される側の肩から手までの長さよりも短く形成されている。
【００１２】
これにより、被着者が持ち上げ補助具を装着した状態で、一方の肩から手までの距離が第１伸縮部よりも長くなるように一方の腕を伸ばし、かつ他方の肩から手までの距離が第２伸縮部よりも長くなるように他方の腕を伸ばした場合、第１伸縮部及び第２伸縮部が伸ばされて、自然な長さまで縮もうとする力が生まれる。
【００１３】
そのため例えば、下方にある持ち上げ対象を上方に持ち上げる場合には、当該第１伸縮部及び第２伸縮部の自然な長さまで縮もうとする力により、被着者の持ち上げ動作が補助される。
【００１４】
また支持部は、剛性のある部材を用いて形成されており、被着者の一方の肩の上方から首の後部を経て他方の肩の上方にわたって配置される。
【００１５】
これにより、例えば一方の手のみで持ち上げ対象を持ち上げる場合においては、他方の肩から手までの距離が第２伸縮部よりも長くなるように他方の腕を下方に伸ばしておくことにより、支持部の他方の肩側の端部を下方に押し下げる力が生まれる。そして、支持部が被着者の首の後部を支点とする天秤棒のような役割を果たし、当該支持部の他方の肩側の端部を下方に押し下げる力は、支持部の一方の肩側の端部を上方に押し上げる力を生じさせる。
【００１６】
そのため、持ち上げ対象を一方の手で持つ場合においては、第１伸縮部の自然な長さまで縮もうとする力と支持部の一方の肩側の端部を上方に押し上げる力とにより、被着者の持ち上げ動作が補助される。
【００１７】
このように、本発明の持ち上げ補助具によれば、持ち上げ対象を両手で持ち上げる場合と片手で持ち上げる場合とのいずれの場合においても被着者の持ち上げ動作を補助することができる。
【００１８】
本発明の持ち上げ補助具において、
前記第１被係止部は、前記被着者の前記一方の手の指が挿入可能であって該指を挿入した状態の該一方の手に該第１伸縮部の該手の方向の端部を着脱自在に係止するように構成され、
前記第２被係止部は、前記被着者の前記他方の手の指が挿入可能であって該指を挿入した状態の該他方の手に該第２伸縮部の該手の方向の端部を着脱自在に係止するように構成されていることが好ましい。
【００１９】
本発明の持ち上げ補助具によれば、支持部の一方の肩側の端部から該一方の手にわたって配置される、伸縮のある第１伸縮部は、第１被係止部により該非着者の指を挿入した状態の該一方の手に該第１伸縮部の該手の方向の端部を着脱自在に係止される。
【００２０】
また、支持部の他方の肩側の端部から該他方の手にわたって配置される、伸縮のある第２伸縮部は、第２被係止部により該非着者の指を挿入した状態の該他方の手に該第２伸縮部の該手の方向の端部を着脱自在に係止される。
【００２１】
これにより、被着者の指を第１被係止部及び第２被係止部に挿入して、第１伸縮部及び第２伸縮部の端部を被着者の手に確実に係止できる。
【００２２】
このように、本発明の持ち上げ補助具によれば、持ち上げ対象を両手で持ち上げる場合と片手で持ち上げる場合とのいずれの場合においても被着者の持ち上げ動作を確実に補助することができる。
【００２３】
本発明の持ち上げ補助具において、
前記支持部は、首の後部に配置される部位に凹形状のくびれ部を有することが好ましい。
【００２４】
本発明の持ち上げ補助具は、首の後部に配置される部位に凹形状のくびれ部を有しており、持ち上げ補助具が被着者に装着される際の位置決めが容易であるので、被着者の持ち上げ動作を確実に補助することができる。
【００２５】
このように、本発明の持ち上げ補助具によれば、持ち上げ対象を両手で持ち上げる場合と片手で持ち上げる場合とのいずれの場合においても被着者の持ち上げ動作を確実に補助することができる。
【００２６】
本発明の持ち上げ補助具において、
前記被着者の上半身に装着され、少なくとも該被着者の背面の上縁の中央部を覆う上半身用衣類と、
前記支持部と前記上半身用衣類とを着脱自在に固定する固定部とを備え、
前記固定部は、前記上半身用衣類の前記被着者の背面の上縁の中央部を覆う部位の外面と前記支持部の該被着者の背面の上縁の中央部に配置される部位とに設けられた一対の係合部により構成されることが好ましい。
【００２７】
本発明の持ち上げ補助具は、被着者の背面の上縁の中央部を少なくとも覆う上半身用衣類と支持部とが、一対の係合部により被着者の背面の上縁の中央部で着脱自在に固定される。
【００２８】
これにより、たとえ被着者の手が第１被係止部及び第２被係止部の両方又は一方に係止されている状態から解除されても、持ち上げ補助具がずれ落ちてしまうことが防止される。
【００２９】
そのため、例えば被着者が持ち上げ対象を持ち上げる動作とそれ以外の動作とを交互に切り替えながら反復的に行うような場合においても、被着者が動作を切り替える毎に持ち上げ補助具を付け外しする手間を生じさせないので便利である。
【００３０】
このように、本発明の持ち上げ補助具によれば、被着者が持ち上げ対象を持ち上げる動作とそれ以外の動作とを切り替える毎に付け外しをする手間を生じさせずに、持ち上げ対象を両手で持ち上げる場合と片手で持ち上げる場合とのいずれの場合においても被着者の持ち上げ動作を補助することができる。
【００３１】
本発明の持ち上げ補助具において、
前記第１伸縮部及び前記第２伸縮部は、１本の部材により一体的に形成されていることが好ましい。
【００３２】
本発明の持ち上げ補助具は、第１伸縮部及び第２伸縮部が１本の部材により一体的に形成されており、持ち上げ補助具の製造に用いる部品点数が少なくて済むので、持ち上げ補助具の構成が簡易になる。
【００３３】
このように、本発明の持ち上げ補助具によれば、簡易な構成で、持ち上げ対象を両手で持ち上げる場合と片手で持ち上げる場合とのいずれの場合においても被着者の持ち上げ動作を補助することができる。
【００３４】
前記第１被係止部は、前記第１伸縮部の長手方向に並ぶように複数設けられており、
前記第２被係止部は、前記第２伸縮部の長手方向に並ぶように複数設けられていることが好ましい。
【００３５】
本発明の持ち上げ補助具は、第１被係止部が第１伸縮部の長手方向に並ぶように、第２被係止部が第２伸縮部の長手方向に並ぶように、それぞれ複数設けられている。
【００３６】
これにより、１つの持ち上げ補助具で、様々な腕の長さの被着者の持ち上げ動作を補助することができる。
【００３７】
このように、本発明の持ち上げ補助具によれば、様々な腕の長さの被着者の持ち上げ動作を、持ち上げ対象を両手で持ち上げる場合と片手で持ち上げる場合とのいずれの場合においても補助することができる。
【図面の簡単な説明】
【００３８】
【図１】本発明の持ち上げ補助具が被着者に装着された状態を示す図。
【図２Ａ】本発明の持ち上げ補助具の全体構成を示す図。
【図２Ｂ】本発明の持ち上げ補助具の全体構成の変更例を示す図。
【図３】本発明の持ち上げ補助具の使用状態を示す図。
【図４】本発明の持ち上げ補助具の他の使用状態を示す図。
【図５Ａ】本発明の持ち上げ補助具の全体構成の変更例を示す図。
【図５Ｂ】本発明の持ち上げ補助具の全体構成の変更例を示す図。
【図５Ｃ】本発明の持ち上げ補助具の全体構成の変更例を示す図。
【図６Ａ】本発明の持ち上げ補助具の第１被係止部の変更例を示す図。
【図６Ｂ】本発明の持ち上げ補助具の第１被係止部の変更例を示す図。
【発明を実施するための形態】
【００３９】
図を用いて、本実施形態の持ち上げ補助具について説明する。なお同一の構成については、同一の符号を付して説明を省略することがある。
【００４０】
まず、図１〜図２Ｂを参照して、本実施形態の持ち上げ補助具の構成を説明する。図１は、持ち上げ補助具本体１０が、被着者Ｗｅに装着された状態を、被着者Ｗｅの背面側から見た図である。また、図１においては、一方の手Ｈａ１である左手については手の平の側が、他方の手Ｈａ２である右手については手の甲の側がそれぞれ見える状態を図示している。
【００４１】
本実施形態の持ち上げ補助具本体１０は、被着者Ｗｅの一方の手Ｈａ１から該一方の肩Ｓｈ１の上方、首の後部Ｎｅ、及び他方の肩Ｓｈ２の上方を経て、該他方の手Ｈａ２にわたって配置された状態で用いられる。そして持ち上げ補助具本体１０は、支持部１１０と、第１伸縮部１３０と、第２伸縮部１５０とを備える。
【００４２】
支持部１１０は、被着者Ｗｅの一方の肩Ｓｈ１の上方から首の後部Ｎｅを経て他方の肩Ｓｈ２の上方にわたって配置される。
【００４３】
支持部１１０は、剛性のあるあらゆる部材を用いて構成されうるところであり、例えば、ＣＦＲＰ（炭素繊維強化プラスチック）、ＦＲＰ、ＣＦＲＴＰなどカーボンやガラス繊維を添加した繊維強化プラスチックにより、またはアルミニウム、ステンレス、バネ鋼などの金属により構成される。なお支持部１１０は、適度な剛性を有しながら加工しやすく軽量な弾性体よりなる部材を用いて構成されることがより望ましい。これにより、支持部１１０がその使用状態において適度にしなる構成とすることができるので、支持部１１０の耐久性を高めることができる。
【００４４】
また、支持部１１０は、被着者Ｗｅの首の後部Ｎｅに配置される部位に凹形状のくびれ部１１１を有する。すなわち支持部１１０は、図２Ａの左側の図に示されるように、長手方向の中央部分の周辺から、長手方向の中央部分に向けて、短手方向の長さが例えばなだらかに第１伸縮部１３０及び第２伸縮部１５０の短手方向の長さまで短くなっていくように形成されている。
【００４５】
これにより、持ち上げ補助具本体１０が被着者に装着される際の位置決めが容易であるので、被着者の持ち上げ動作を確実に補助することができる。
【００４６】
そして、支持部１１０は、第１伸縮部１３０を支持部１１０の一方の肩Ｓｈ１側の端部に固定する一方伸縮部留め１１３及び、第２伸縮部１５０を支持部１１０の他方の肩Ｓｈ２側の端部に固定する他方伸縮部留め１１５を有している。
【００４７】
本実施形態において一方伸縮部留め１１３及び他方伸縮部留め１１５は、その内側に支持部１１０のそれぞれの端部と第１伸縮部１３０又は第２伸縮部１５０とを挟み込むようにして固定可能な円環状の部材であるが、これに限定されない。第１伸縮部１３０又は第２伸縮部１５０を支持部１１０のそれぞれの端部に固定可能なあらゆる部材が用いられうる。
【００４８】
第１伸縮部１３０及び第２伸縮部１５０は、伸縮性のあるあらゆる部材を用いて構成されうるところであり、例えばゴム、糸ゴムを織り込んだ繊維、その他のストレッチ素材、シリコン、ポリウレタン、あるいはスプリングなどにより構成される。なお、適度な伸縮性を有しながら繰り返しの伸縮に耐えうる耐久性を有し、かつ加工しやすく軽量である部材を用いて構成されることがより望ましい。
【００４９】
第１伸縮部１３０は、支持部１１０の一方の肩Ｓｈ１側の端部から該一方の手Ｈａ１にわたって配置される。
【００５０】
そして第１伸縮部１３０は、その自然な長さが、被着者Ｗｅの一方の肩Ｓｈ１から該一方の手Ｈａ１までの長さよりも短く形成される。また、第１伸縮部１３０は、第１被係止部１３１を有している。
【００５１】
第１被係止部１３１は、一方の手Ｈａ１の手首から指にわたる部位の少なくとも一部に第１伸縮部１３０の該手の方向の端部を着脱自在に係止する。
【００５２】
第２伸縮部１５０は、支持部１１０の他方の肩Ｓｈ２側の端部から該他方の手Ｈａ２にわたって配置される。
【００５３】
そして第２伸縮部１５０は、その自然な長さが、被着者Ｗｅの他方の肩Ｓｈ２から該他方の手Ｈａ２までの長さよりも短く形成される。また、第２伸縮部１５０は、第２被係止部１５１を有している。
【００５４】
第２被係止部１５１は、他方の手Ｈａ２の手首から指にわたる部位の少なくとも一部に第２伸縮部１５０の該手の方向の端部を着脱自在に係止する。
【００５５】
これにより、被着者Ｗｅが持ち上げ補助具本体１０を装着した状態で、一方の肩Ｓｈ１から一方の手Ｈａ１までの距離が第１伸縮部１３０の自然な長さよりも長くなるように一方の腕を伸ばし、かつ他方の肩Ｓｈ２から他方の手Ｈａ２までの距離が第２伸縮部１５０の自然な長さよりも長くなるように他方の腕を伸ばした場合、第１伸縮部１３０及び第２伸縮部１５０が伸ばされて、自然な長さまで縮もうとする力Ｄ１、Ｄ２が生まれる。
【００５６】
そのため例えば、下方にある持ち上げ対象を上方に持ち上げる場合には、当該第１伸縮部１３０及び第２伸縮部１５０の自然な長さまで縮もうとする力Ｄ１、Ｄ２により、被着者Ｗｅの持ち上げ動作が補助される。
【００５７】
なお、第１被係止部１３１は、一方の手Ｈａ１の指が挿入可能であって該指を挿入した状態の該一方の手Ｈａ１に該第１伸縮部１３０の該手の方向の端部を着脱自在に係止するように構成される。
【００５８】
より具体的には、第１被係止部１３１は、例えば一方の手Ｈａ１の人差し指Ｉｆ１、中指Ｍｆ１、薬指Ｒｆ１、及び小指Ｌｆ１が挿入可能なように構成される円環状の部材である。この場合に第１被係止部１３１は、親指Ｔｈ１により、一方の肩Ｓｈ１の方向にずれ上がっていくことが抑止される。
【００５９】
また、第２被係止部１５１は、他方の手Ｈａ２の指が挿入可能であって該指を挿入した状態の該他方の手Ｈａ２に該第２伸縮部１５０の該手の方向の端部を着脱自在に係止するように構成される。
【００６０】
より具体的には、第２被係止部１５１は、例えば他方の手Ｈａ２の人差し指ＩＦ２、中指ＭＦ２、薬指ＲＦ２、及び小指ＬＦ２が挿入可能なように構成される円環状の部材である。この場合に第２被係止部１５１は、親指Ｔｈ２により、他方の肩Ｓｈ２の方向にずれ上がっていくことが抑止される。
【００６１】
これにより、被着者Ｗｅの指を第１被係止部１３１及び第２被係止部１５１に挿入して、第１伸縮部１３０及び第２伸縮部１５０の端部を被着者Ｗｅの手に確実に係止できる。
【００６２】
なお、第１伸縮部１３０及び第２伸縮部１５０は、図２Ａに示すように１本の部材により一体的に形成されていてもよいし、図２Ｂに示すようにそれぞれ別個に形成されていてもよい。
【００６３】
第１伸縮部１３０と第２伸縮部１５０とが１本の部材により一体的に形成される場合には、第１伸縮部１３０と第２伸縮部１５０とは、例えば一本の輪として形成されてもよいし、一本の帯状、紐状又は縄状に形成されてもよい。
【００６４】
これにより、持ち上げ補助具本体１０の製造に用いる部品点数が少なくて済むので、持ち上げ補助具本体１０の構成が簡易になる。
【００６５】
なお第１伸縮部１３０と第２伸縮部１５０とが１本の部材により一体的に形成される場合には、第１伸縮部１３０及び第２伸縮部１５０を構成する一本の部材のうち、一方伸縮部留め１１３と他方伸縮部留め１１５との間に位置する部分１４０は、支持部１１０を構成する剛性のある部材と一体となって、本発明の支持部１１０を構成する。
【００６６】
第１伸縮部１３０と第２伸縮部１５０とがそれぞれ個別に形成される場合には、第１伸縮部１３０と第２伸縮部１５０とは、例えばそれぞれが一本の輪として形成される。あるいは第１伸縮部１３０と第２伸縮部１５０とは、それぞれが一本の帯状、紐状又は縄状に形成されてもよい。
【００６７】
＜持ち上げ対象を両手で持ち上げる場合の使用形態＞
次に、図３を参照して持ち上げ対象を両手で持ち上げる場合の使用形態について説明する。
【００６８】
図３に示すように、持ち上げ対象Ｂａｇ１を両手Ｈ１ａ、Ｈａ２で持ち上げる場合においては、被着者Ｗｅは、持ち上げ補助具本体１０を装着した状態で、一方の肩Ｓｈ１から一方の手Ｈａ１までの距離が第１伸縮部１３０の自然な長さよりも長くなる高さであって、かつ他方の肩Ｓｈ２から他方の手Ｈａ２までの距離が第２伸縮部１５０の自然な長さよりも長くなる高さにて持ち上げ対象Ｂａｇ１を保持する。
【００６９】
そうすると、第１伸縮部１３０及び第２伸縮部１５０が伸ばされて、自然な長さまで縮もうとする力Ｄ１、Ｄ２が生まれるので、当該第１伸縮部１３０及び第２伸縮部１５０の自然な長さまで縮もうとする力Ｄ１、Ｄ２により、被着者Ｗｅの持ち上げ動作が補助される。
【００７０】
＜持ち上げ対象を片手で持ち上げる場合の使用形態＞
続いて、図４を参照して持ち上げ対象を片手で持ち上げる場合の使用形態について説明する。
【００７１】
図４に示すように、持ち上げ対象Ｂａｇ２を片方の手Ｈａ１のみで持ち上げる場合においては、他方の肩Ｓｈ２から他方の手Ｈａ２までの距離が第２伸縮部１５０の自然な長さよりも長くなるように他方の腕を下方に伸ばしておくことにより、支持部１１０の他方の肩Ｓｈ２側の端部を下方に押し下げる力Ｄ３が生まれる。そして、支持部１１０が被着者Ｗｅの首の後部Ｎｅを支点Ｆｕとする天秤棒のような役割を果たすので、当該支持部１１０の他方の肩Ｓｈ２側の端部を下方に押し下げる力Ｄ３は、支持部１１０の一方の肩Ｓｈ１側の端部を上方に押し上げる力Ｄ４を生じさせる。
【００７２】
そのため、持ち上げ対象Ｂａｇ２を一方の手で持つ場合においては、第１伸縮部１３０の自然な長さまで縮もうとする力Ｄ１と支持部１１０の一方の肩Ｓｈ１側の端部を上方に押し上げる力Ｄ４とにより、被着者Ｗｅの持ち上げ動作が補助される。
【００７３】
持ち上げ対象Ｂａｇ２を反対側の片方の手Ｈａ２のみで持ち上げる場合においても、持ち上げ補助具は、これと同様に作用する。
【００７４】
＜その他の実施形態＞
以下に、本発明の持ち上げ補助具のその他の実施形態について説明する。
【００７５】
第２の実施形態においては、図５Ａに示すように、持ち上げ補助具は、被着者Ｗｅの上半身に装着され、少なくとも該被着者Ｗｅの背面の上縁の中央部ＵＬを覆う上半身用衣類３０と、持ち上げ補助具本体１０とにより構成される。
【００７６】
また、上半身用衣類３０と持ち上げ補助具本体１０とは、上半身用衣類３０の被着者Ｗｅの背面の上縁の中央部ＵＬを覆う部位の外面に設けられた衣類側係合部３１７と、支持部１１０の該被着者Ｗｅの背面の上縁の中央部ＵＬに配置される部位に設けられた本体側係合部１１７とにより構成される一対の係合部により、着脱自在に固定される。すなわち、衣類側係合部３１７と本体側係合部１１７とが、本発明の固定部として機能する。
【００７７】
これにより、たとえ被着者Ｗｅの手が第１被係止部１３１及び第２被係止部１５１の両方又は一方に係止されている状態から解除されても、持ち上げ補助具本体１０が被着者Ｗｅの背面の上縁の中央部ＵＬからずれ落ちてしまうことが防止される。
【００７８】
そのため、例えば被着者Ｗｅが持ち上げ対象を持ち上げる動作とそれ以外の動作とを交互に切り替えながら反復的に行うような場合においても、被着者Ｗｅが動作を切り替える毎に持ち上げ補助具本体１０を付け外しする手間を生じさせないので便利である。
【００７９】
なお、本体側係合部１１７と衣類側係合部３１７とは、例えば面ファスナーにより構成されるが、これに限定されず、例えばボタンとボタンホール、スナップボタン、マグネットなど、相互に着脱自在に係合可能なあらゆる素材、機構を用いて構成されうる。
【００８０】
また、図５Ａにおいては、本体側係合部１１７が支持部１１０の長手方向の中央部分を帯状に覆うように設けられているがこれに限定されない。
【００８１】
例えば図５Ｂに示すように、第１伸縮部１３０及び第２伸縮部１５０を構成する一本の部材のうち、一方伸縮部留め１１３と他方伸縮部留め１１５との間に位置する部分１４０が、支持部１１０を構成する剛性のある部材と一体となって本発明の支持部１１０を構成する場合には、本体側係合部１１７は、一本の部材のうち一方伸縮部留め１１３と他方伸縮部留め１１５との間に位置する部分１４０の上に設けられてもよい。
【００８２】
あるいは例えば第１伸縮部１３０と第２伸縮部１５０とがそれぞれ個別に形成される場合には、本体側係合部１１７は、支持部１１０を構成する剛性の部材の上に設けられる。
【００８３】
次に、図６Ａ及び図６Ｂを参照して、第１被係止部１３１及び第２被係止部１５１の変更例について説明する。なお説明の簡便のため、第１被係止部１３１の変更例についてのみ説明する。
【００８４】
本変更例においては、第１被係止部１３１は、第１伸縮部１３０に設けられた孔である。当該孔に、図６Ａの下側の図に示すように、被着者Ｗｅの一方の手Ｈａ１の例えば中指ＭＦ１と薬指ＲＦ１とが挿入されることにより、挿入された状態の該一方の手Ｈａ１に第１伸縮部１３０の該一方の手Ｈａ１の方向の端部が着脱自在に係止される。
【００８５】
あるいは図６Ｂの下側の図に示すように、被着者Ｗｅの一方の手Ｈａ１の人差し指ＩＦ１、中指ＭＦ１、薬指ＲＦ１及び小指ＬＦ１が挿入されることにより、挿入された状態の該一方の手Ｈａ１に第１伸縮部１３０の該一方の手Ｈａ１の方向の端部が着脱自在に係止されてもよい。
【００８６】
また、図６Ｂの上側の図に示すように、第１被係止部１３１は、第１伸縮部１３０の長手方向に並ぶように複数（１３１ａ、１３１ｂ、１３１ｃ…）設けられていてもよい。同様に、第２被係止部１５１は、第２伸縮部１５０の長手方向に並ぶように複数設けられていてもよい。
【００８７】
これにより、１つの持ち上げ補助具で、様々な腕の長さの被着者の持ち上げ動作を補助することができる。
【００８８】
以上説明したように、本発明によれば、持ち上げ対象を両手で持ち上げる場合と片手で持ち上げる場合とのいずれの場合においても被着者の持ち上げ動作を補助することができる持ち上げ補助具を提供することができる。
【００８９】
以上、本発明の実施形態について説明したが、本発明はこれに限定されない。本発明の趣旨を逸脱しない範囲で、種々の変更が可能である。
【００９０】
例えば、上記においては、第１被係止部１３１及び第２被係止部１５１は輪又は孔であったが、これに限定されない。第１被係止部１３１及び第２被係止部１５１は、手袋の形状であってもよい。
【００９１】
あるいは例えば、上記においては、第１被係止部１３１及び第２被係止部１５１は被着者Ｗｅの指を挿入可能に構成されているが、これに限定されない。例えば第１被係止部１３１及び第２被係止部１５１は、被着者Ｗｅの手首に着脱自在に巻き付けられることにより、それぞれの手に第１伸縮部１３０又は第２伸縮部１５０の手の方向の端部を係止するように構成されていてもよい。
【００９２】
あるいは例えば、上記においては、支持部１１０の全体がほぼ露出するように構成されているが、これに限定されない。例えば支持部１１０は、被着者Ｗｅ側の面の中央部又はその全面が柔らかい部材で覆われており、剛性のある部材と当該柔らかい部材とが一体となって、本発明の支持部１１０を構成するように構成されていてもよい。
【符号の説明】
【００９３】
１０…持ち上げ補助具本体、１１０…支持部、１１１…くびれ部、１１７…本体側係合部、１３０…第１伸縮部、１５０…第２伸縮部、１３１…第１被係止部、１５１…第２被係止部、３０…上半身用衣類、３１７…衣類側係合部。
【図１】
2020158266.tif 000003
【図２Ａ】
2020158266.tif 000004
【図２Ｂ】
2020158266.tif 000005
【図３】
2020158266.tif 000006
【図４】
2020158266.tif 000007
【図５Ａ】
2020158266.tif 000008
【図５Ｂ】
2020158266.tif 000009
【図５Ｃ】
2020158266.tif 000010
【図６Ａ】
2020158266.tif 000011
【図６Ｂ】
2020158266.tif 000012